(57)【要約】【課題】パノラマモードで撮影したコマ画像を読み取るとき、スミヤやフレアの発生を防止するとともに、写真フィルムの側縁部に形成されたＤＸコード等の情報を確実に読み取ることのできる画像読取装置を提供すること。【解決手段】写真フィルムのコマ画像がパノラマ画像のときスリットの開口部分に進出してコマ画像以外の領域を通過する光を遮蔽するパドル８１Ａ、８１Ｂを設け、写真フィルムの側縁近傍に形成された情報記録部に対応した位置に情報読み取り用の透孔８を設けるとともに、透孔８を通って写真フィルムの情報記録部に照射されるべき光源部からの光が前記パドル８１Ａ、８１Ｂによって遮蔽されないように、パドル８１Ａ、８１Ｂの一部に切欠き部８４Ａ、８４Ｂを設けた。【選択図】            図７
2004266485.tif 000002
【特許請求の範囲】
【請求項１】
異なる幅のコマ画像が混在して形成された写真フィルムのコマ画像を読み取る画像読取装置であって、
前記写真フィルムを所定の搬送路に沿って搬送する搬送手段と、搬送路の途中において搬送方向に交差させて形成されたスリットと、スリットを通して写真フィルムに光を照射する光源部と、写真フィルムを透過した光を受光してデジタルデータを得るセンサと、写真フィルムのコマ画像の幅が狭いときにはスリットの開口部分に進出してコマ画像以外の領域へ照射される光を遮蔽し、写真フィルムのコマ画像の幅が広いときにはスリットの開口部分から退避するように駆動される遮光手段とを備えた画像読取装置において、
スリットの幅は、幅が広い方のコマ画像を読み取り可能な幅以上とし、
スリット近傍の搬送路には、写真フィルムの側縁近傍に形成された情報記録部に対応した位置に情報読み取り用の光透過部を設け、
遮光手段の進退位置に関わらず、光源部からの光を、情報読み取り用の光透過部を透過させてセンサへ導く導光手段を備えたことを特徴とする画像読取装置。
【請求項２】
情報読み取り用の光透過部は、スリットと分離して設けたことを特徴とする請求項１に記載の画像読取装置。
【請求項３】
情報読み取り用の光透過部は、スリットと連設して設けたことを特徴とする請求項１に記載の画像読取装置。
【請求項４】
情報読み取り用の光透過部は、スリットと同一ライン上に並べて配設し、
導光手段は、進出した状態における遮光手段の、情報読み取り用の光透過部に対応する部分を切り欠いて形成した切欠き部によって構成したことを特徴とする請求項１、２、３の何れか１項に記載の画像読取装置。
【請求項５】
情報読み取り用の光透過部は、スリットに対して搬送方向にずらした位置に配設し、
導光手段は、光透過部を通って情報記録部を透過した光を、センサに入射されるようにシフトさせるプリズム機構によって構成したことを特徴とする請求項１、２、３の何れか１項に記載の画像読取装置。
【請求項６】
スリットの幅は、写真フィルムの側縁近傍に形成された情報記録部まで含む幅としたことを特徴とする請求項５に記載の画像読取装置。
【請求項７】
スリットの幅は、写真フィルムの側縁近傍に形成された情報記録部は含まない幅としたことを特徴とする請求項５に記載の画像読取装置。
【請求項８】
情報読み取り用の光透過部は、透孔によって構成したことを特徴とする請求項１乃至７の何れか１項に記載の画像読取装置。
【請求項９】
情報読み取り用の光透過部は、減光部材によって構成したことを特徴とする請求項１乃至７の何れか１項に記載の画像読取装置。
【発明の詳細な説明】
【０００１】
【発明の属する技術分野】
本発明は、通常の幅のコマ画像と、通常より狭い幅のパノラマ画像のコマ画像とが混在した写真フィルムのように、幅の異なるコマ画像が混在して形成されている写真フィルムのコマ画像を読み取る画像読取装置に関するものである。
【０００２】
【従来の技術】
従来より、通常の幅のコマ画像と、通常より狭い幅のパノラマ画像のコマ画像とが混在した写真フィルムのように、幅の異なるコマ画像が混在して形成されている写真フィルムのコマ画像を読み取る画像読取装置においては、ラインセンサによって、写真フィルムをスキャンするとき、同時にＤＸコードを読み取るように構成されたものがある。
このような画像読取装置によって、写真フィルムに形成されたパノラマ画像をスキャンする場合には、パノラマ画像の両脇のフィルムベース部分（画像が形成されていない部分）の光透過率が高いため、ラインセンサへ入射される光の強度が大きくなり、フレアやスミヤが発生したり、ラインセンサの出力が飽和するという問題がある。
【０００３】
そこで、パノラマ画像の両脇のフィルムベース部分を透過する不要な光を遮蔽するパドル等の遮光手段を備えたものが提案されている。
しかし、このようにパノラマ画像の両脇のフィルムベース部分を遮光すると、写真フィルムの側縁近傍に形成されたＤＸコード等も遮光されるため、次のような問題があった。
１）ＤＸコードを読み取るために、予めスキャン（プレスキャン）する必要があり、その場合には、当該画像読取装置の処理能力が低下するという問題。
２）ＤＸコードから得られる情報を、スキャンして読み取った画像データの補正演算処理に反映できないという問題。
【０００４】
そこで、遮光手段を、ＮＤフィルタ等の減光板に代えることによって、減光板を通してＤＸコードを読み取るように構成した画像読取装置が提案されている。（例えば、特許文献１参照）
【０００５】
【特許文献１】
特開平１１−１２７２９５号公報
【０００６】
【発明が解決しようとする課題】
ところが、上述した特許文献１に記載されている構成では、減光板の減衰率を大きくすればＤＸコードを読み取り難くなり、減光板の減衰率を小さくすればスミヤやフレアが発生しやすくなるという問題がある。
【０００７】
そこで、本発明は、スミヤやフレアの発生を防止するとともに、写真フィルムの側縁部に形成されたＤＸコード等の情報を確実に読み取ることのできる画像読取装置を提供することを目的としてなされたものである。
【０００８】
【課題を解決するための手段】
本発明にかかる請求項１の画像読取装置は、
異なる幅のコマ画像が混在して形成された写真フィルムのコマ画像を読み取る画像読取装置であって、
前記写真フィルムを所定の搬送路に沿って搬送する搬送手段と、搬送路の途中において搬送方向に交差させて形成されたスリットと、スリットを通して写真フィルムに光を照射する光源部と、写真フィルムを透過した光を受光してデジタルデータを得るセンサと、写真フィルムのコマ画像の幅が狭いときにはスリットの開口部分に進出してコマ画像以外の領域へ照射される光を遮蔽し、写真フィルムのコマ画像の幅が広いときにはスリットの開口部分から退避するように駆動される遮光手段とを備えた画像読取装置において、
スリットの幅は、幅が広い方のコマ画像を読み取り可能な幅以上とし、
スリット近傍の搬送路には、写真フィルムの側縁近傍に形成された情報記録部に対応した位置に情報読み取り用の光透過部を設け、
遮光手段の進退位置に関わらず、光源部からの光を、情報読み取り用の光透過部を透過させてセンサへ導く導光手段を備えている。
【０００９】
請求項２においては、
情報読み取り用の光透過部は、スリットと分離して設けた。
請求項３においては、
情報読み取り用の光透過部は、スリットと連設して設けた。
請求項４においては、
情報読み取り用の光透過部は、スリットと同一ライン上に並べて配設された透孔によって構成し、
導光手段は、進出した状態における遮光手段の、情報読み取り用の光透過部に対応する部分を切り欠いて形成した切欠き部によって構成した。
【００１０】
請求項５においては、
情報読み取り用の光透過部は、スリットに対して搬送方向にずらした位置に配設し、
導光手段は、光透過部を通って情報記録部を透過した光を、センサに入射されるようにシフトさせるプリズム機構によって構成した。
請求項６においては、
スリットの幅は、写真フィルムの側縁近傍に形成された情報記録部まで含む幅とした。
請求項７においては、
スリットの幅は、写真フィルムの側縁近傍に形成された情報記録部は含まない幅とした。
請求項８においては、
情報読み取り用の光透過部は、透孔によって構成した。
請求項９においては、
情報読み取り用の光透過部は、減光部材によって構成した。
【００１１】
【作用】
請求項１の発明では、
スリットの幅は、幅が広い方のコマ画像を読み取り可能な幅以上とし、
スリット近傍の搬送路には、写真フィルムの側縁近傍に形成された情報記録部に対応した位置に情報読み取り用の光透過部を設け、
遮光手段の進退位置に関わらず、光源部からの光を、情報読み取り用の光透過部を透過させてセンサへ導く導光手段を備えたので、情報記録部を透過した光は遮光手段の進退位置に関わらずセンサによって読み取られる。
請求項２の発明では、
情報読み取り用の光透過部は、スリットと分離して設けたので、光源部からの光は、情報読み取り用の光透過部と、スリットにそれぞれ供給される。
請求項３においては、
情報読み取り用の光透過部は、スリットと連設して設けたので、光源部からの光は、情報読み取り用の光透過部と、スリットに供給される。
【００１２】
請求項４の発明では、
情報読み取り用の光透過部は、スリットと同一ライン上に並べて配設された透孔によって構成するとともに、
導光手段は、進出した状態における遮光手段の、情報読み取り用の光透過部に対応する部分を切り欠いて形成した切欠き部によって構成したので、切欠き部を通過した光は情報記録部を透過してセンサによって読み取られる。
【００１３】
請求項５の発明では、
情報読み取り用の光透過部は、スリットに対して搬送方向にずらした位置に配設するとともに、
導光手段は、光透過部を通って情報記録部を透過した光を、センサに入射されるようにシフトさせるプリズム機構によって構成したので、情報記録部を透過した光は前記プリズム機構によってシフトされてセンサに入射されて読み取られる。
請求項６の発明では、
スリットの幅は、写真フィルムの側縁近傍に形成された情報記録部まで含む幅としたので、スリットに供給される光はコマ画像の領域だけでなく情報記録部も透過する。
請求項７の発明では、
スリットの幅は、写真フィルムの側縁近傍に形成された情報記録部は含まない幅としたので、スリットに供給される光は情報記録部は透過しない。
請求項８の発明では、
光源部からの光は情報読み取り用の透孔を通過する。
請求項９の発明では、
光源部からの光は情報読み取り用の減光部材を通過するときに減光する。
【００１４】
【発明の実施の形態】
以下に、本発明にかかる画像読取装置を、その実施の形態を示した図面に基づいて詳細に説明する。
【００１５】
図１において、
１は写真フィルム処理装置であり、この写真フィルム処理装置１は、写真フィルムをスキャンするスキャナ部２と、各種記録メディアの読み書きを行なうメディア入出力部３と、キーボード等を備えた操作部４と、種々の情報を表示するディスプレイ部５と、以上の各部を統合して制御する制御部６とを備え、全体としてデスク状に構成されている。
写真フィルムのコマ画像は、スキャナ部２で読み込まれてデジタルデータに変換され、必要に応じて処理されてディスプレイ部５に表示される。操作部４を介して補正処理等を施し、メディア入出力部３から所望の記録メディアに出力される。また、必要に応じて、図示しないプリント装置等に転送されてプリント出力される。
【００１６】
（スキャナ部２の詳細構成）
図２に示したように、
スキャナ部２の要部を構成するフィルムキャリア２１の下面には光源部２２が配設され、上面には透過光読み取り部２３が配設されている。
前記光源部２２は、赤色光および赤外光を発光する発光ダイオード群が配設された第１のＬＥＤ基板２４と、青色光を発光する発光ダイオード群と緑色光を発光する発光ダイオード群とが配設された第２のＬＥＤ基板２５と、前記第１、第２のＬＥＤ基板の各発光ダイオードから発光される各波長の光を同一のライン状の光束に近い状態に整えるハーフミラーおよびレンズ群からなる光供給部２６とを備えている。
前記光源部２２からの光はこのようにして、ほぼ主走査方向にライン状に整えられて、フィルムキャリア２１に形成されたスキャニングゲートＧに供給される。
【００１７】
前記透過光読み取り部２３は、フィルムキャリア２１に形成されたスキャニングゲートＧを通過して写真フィルムＦを透過した前記光源部２２からの光を集光するレンズ群２７と、レンズ群２７によって集光された透過光を受光して、デジタル画像データに光電変換するためのラインセンサ部２８とを備えている。このラインセンサ部２８は、透過光のＢＧＲ光成分をハーフミラーで直角に反射させて受光するカラーラインＣＣＤ２８１と、透過光の赤外光成分を前記ハーフミラーを通して受光するＩＲ−ＣＣＤ２８２とを備えている。受光された赤外光成分は、写真フィルムの疵の検出および補正処理に利用される。
前記ラインセンサ部２８のカラーラインＣＣＤ２８１は、主走査方向にライン状に配列され、当該搬送路の全幅に相当する領域、即ち、読み取り対象とする写真フィルムＦの全幅をスキャンし得るように構成されている。
また、前記スキャニングゲートを通過してフィルムキャリア２１から排出される写真フィルムは必要に応じて巻取りユニット２９にて一旦巻き取ることができる。
なお、前記透過光読み取り部２３は特許請求の範囲に記載されたセンサに対応する構成である。
【００１８】
（フィルムキャリア２１の詳細構成）
図３はフィルムキャリア２１の内部構造を示す側面断面図であり、図４はフィルムキャリア２１の内部概要を示す平面図である。
図３、４に示したように、フィルムキャリア２１は、金属鋳物や合成樹脂などで形成されたフィルムキャリア本体７を有し、このフィルムキャリア本体７は下側本体７１と、この下側本体７１の上面を覆う上側本体７２とからなる。図４中において、フィルムキャリア本体７の右辺には、オペレータが装入する１３５フィルムを受け入れる装入口７３が設けられており、左辺には排出口７４が形成され、必要に応じて作動する巻取りユニット２９が配設されている。前記装入口７３と排出口７４との間には、１３５フィルム用のフィルム搬送路Ｗ１が形成されている。
上側本体７２と下側本体７１とは、水平な軸芯を備えたヒンジ（図示せず。）によって開閉可能に連結され、上側本体７２を開いた状態では、メンテナンス等のために前記フィルム搬送路Ｗ１等の内部にアクセス可能な状態となる。
【００１９】
また、前記１３５フィルム用のフィルム搬送路Ｗ１と並行して、２４０フィルム用の搬送路Ｗ２も形成されている。
これらの１３５フィルム用のフィルム搬送路Ｗ１と２４０フィルム用の搬送路Ｗ２には、写真フィルム搬送用のローラ群Ｒが配設され、１３５フィルムもしくは２４０フィルムを、装入口側から排出口側へ（即ち、副走査方向へ）一定の速度で搬送するフィルム搬送機構７６が配設されている。
このフィルム搬送機構７６は、１３５フィルム用の搬送路Ｗ１に沿って配置された４組の搬送ローラ対Ｒ１と、２４０フィルム用の搬送路Ｗ２に沿って配置された４組の搬送ローラ対と、固定されたモータ７７と、このモータ７７の回転を前記各搬送ローラ対Ｒ１，Ｒ２に伝達するためのタイミングギア（図示せず。）とタイミングベルト（図示せず。）とを有している。
【００２０】
前記モータ７７を正転させることにより、写真フィルムを搬送路に沿って前記副走査方向に搬送し、逆転させることにより、写真フィルムを前記搬送路に沿って前記副走査方向の逆方向に搬送するように構成されている。
前記１３５フィルム用の搬送路Ｗ１のスキャニングポイントＰ１と、２４０フィルム用の搬送路Ｗ２のスキャニングポイントＰ２には、それぞれ、前記光源部２２からの光を各写真フィルムに照射するための第１スリットＳ１と、第２スリットＳ２とが形成されて、スキャニングゲートＧを構成している。
なお、前記光源部２２と透過光読み取り部２３とを、２種類のフィルム用の搬送路で共用するために、前記光源部２２と透過光読み取り部２３とが、両搬送路の間をスライド移動するように構成されている。
【００２１】
図５は、前記１３５フィルム用の搬送路Ｗ１の要部を拡大した平面図である。図５に示したように、１３５フィルム用の搬送路Ｗ１のスキャニングポイントＰ１に形成された第１スリットＳ１は、１３５フィルムＦのコマ画像Ｋの幅（主走査方向の幅）よりわずかに長いスリットとされ、１３５フィルムＦの縁に沿って形成されているＤＸコード等の情報記録部Ｄまでは開口していない。
前記第１スリットＳ１の両脇、即ち１３５フィルムＦの縁に形成されている情報記録部Ｄに相当する位置には、情報読み取り用の透孔８が形成されている。
従って、搬送されてきた１３５フィルムＦが前記スキャニングポイントＰ１を通過するときには、コマ画像Ｋは前記第１スリットＳ１の部分で光学的に読み取られ、前記情報記録部Ｄのデータは前記透孔８の部分で光学的に読み取られる。
【００２２】
図６は、図５に示された要部を、前記下側本体７１の下面を見上げた底面図である。
図６において、８１Ａ，８１Ｂはパノラマ画像を読み取る場合に機能する１対の可動式のパドルである。このパドル８１Ａ，８１Ｂは、それぞれ不透明樹脂等の不透明部材で構成された遮蔽部８２Ａ，８２Ｂを備えている。
前記パドル８１Ａ，８１Ｂの遮蔽部８２Ａ，８２Ｂは、パノラマモードで撮影されたコマ以外のコマ画像を読み取る場合には、図６に示したように、第１スリットＳ１の開口部を塞がない位置へ退避している。
【００２３】
前記パドル８１Ａ，８１Ｂは、パノラマモードで撮影されたコマ画像を詳細に読み取る場合には、図７に示したように、第１スリットＳ１の両端に進出してその部分を塞ぎ、撮影されたコマ画像の無いフィルムベースの部分（パノラマ画像の両脇の部分）への光源からの光を遮蔽するように駆動される。
前記パドル８１Ａ，８１Ｂの遮蔽部８２Ａ，８２Ｂの形状と大きさは、図７に示した進出位置において、パノラマ画像の両脇のコマ画像の形成されていないフィルムベースの部分の長さＬ１をカバーし得るとともに、少なくとも第１スリットＳ１の幅Ｌ２をカバーし得るように形成されている。
【００２４】
前記パドル８１Ａの回動軸８３と遮蔽部８２Ａとの間には切欠き部８４Ａが形成されている。この切欠き部８４Ａの形状は、図７に示した進出位置において、前記透孔８を通過する光を遮蔽しない大きさと形状で切り欠いて形成されている。なお、この切欠き部８４Ａは光を透過するために形成されているものであるから、実際に切欠きを設ける代わりに、その部分を透明部材もしくはＮＤフィルタ等の半透明部材で構成することもできる。
他方のパドル８１Ｂの回動軸８３Ｂと遮蔽部８２Ｂとの間にも同様に切欠き部８４Ｂが形成されている。
【００２５】
８５は電磁ソレノイドであり、前記パドル８１Ａを回動して、前記遮蔽部８２を退避位置と進出位置とに切り替え駆動する。電磁ソレノイド８５の駆動軸８６には延長リンク８７が連結され、この延長リンク８７の他端は、一方のパドル８１Ａの回動軸８３Ａから離間した位置において前記パドル８１Ａに設けられた連結軸８８に回動自在に連結されている。
９０は２つのパドル８１Ａ、８１Ｂを連動させるための連動リンクであり、この連動リンク９０の一端は、一方のパドル８１Ａの回動軸８３Ａからフィルム搬送方向（副走査方向）に所定距離だけ伸びた腕に設けられた連結軸８９に回動自在に連結され、他端は、他方のパドル８１Ｂの回動軸９１からフィルム搬送方向に前記所定距離だけ伸びた腕に設けられた連結軸９１に回動自在に連結されている。前記連動リンク９０は、前記第１スリットＳ１にほぼ平行な状態を保って移動し、２つのパドル８１Ａ、８１Ｂを連動させる。
【００２６】
以上の構成によって、前記延長リンク８７が電磁ソレノイド８５で進退駆動されることによって、前記パドル８１Ａは約３０°の範囲で回動する。
そして、前記パドル８１Ａが回動すると、前記連動リンク９０によって前記パドル８１Ｂも同様に回動する。
なお、前記電磁ソレノイド８５が通電時に駆動軸８６を吸引する構成の場合には、非通電時に駆動軸８６を復帰させるためのバネ等の復帰手段を、電磁ソレノイドの近傍もしくはパドル８１Ａ、８１Ｂの近傍に備えるものとする。
【００２７】
以上の構成によって、パノラマモードで撮影されたコマ画像をスキャンする場合には、電磁ソレノイド８５に通電されて、図７に示したように、パドル８１Ａ、８１Ｂが進出してパノラマ画像以外の領域に照射される光を遮蔽するので、前記透過光読み取り部２３にはパノラマ画像の領域を透過した光と、前記透孔８を通過して写真フィルムの情報記録部Ｄを透過した光のみが入射される。即ち、読み取り対象領域であるパノラマ画像の領域と情報記録部Ｄの領域を透過した光だけが透過光読み取り部２３に入射されるのである。
従って、パノラマ画像の読み取りの際に生じるフレアの発生を防止できるとともに、カラーラインＣＣＤ２８１での蓄積電荷の飽和を防止できる。
パノラマモード以外のモードで撮影されたコマ画像をスキャンする場合には、電磁ソレノイド８５の通電を停止すると、図６に示したように、パドル８１Ａ、８１Ｂが退避してパノラマ画像の画像領域の両脇に相当するコマ画像の領域に照射される光を遮蔽しないので、前記透過光読み取り部２３には写真フィルムのコマ画像の領域と情報記録部の領域を透過した光が入射される。
【００２８】
なお、図６、７の何れの場合においても、透過光読み取り部２３に入射された透過光に基づいて得られるデジタルデータは、制御部６において、コマ画像の領域に基づくデジタルデータと情報記録部Ｄの領域に基づくデジタルデータとに分離され、前者は写真画像データとして従来同様に処理され、後者は必要に応じて画像処理によって解析されＤＸコード等の必要なデータが得られる。
【００２９】
このように、情報記録部Ｄに記録された情報を読み取るための透孔８を、第１スリットＳ１と同一ライン上に並んで設けたが、前記透孔８を塞がないように、パドル８１Ａ、８１Ｂに切欠き部８４Ａ、８４Ｂを設けたので、パノラマ画像を読み取るときに第１スリットＳ１の余分な領域を遮蔽するためにパドル８１Ａ、８１Ｂが作動しても、情報記録部Ｄに記録されたデータを読み取ることができるのである。
【００３０】
図８は、別の実施形態の要部の平面図であり、この実施形態においては、写真フィルムの情報記録部Ｄを透過した光の光路を、第１プリズム９１と第２プリズム９２によって構成されるプリズム機構９によってシフトさせて変更するように構成されている。
図８、９に示したパドル８１Ｃ，８１Ｄには、図６、７に示したような切欠きは形成されていない。
その代わりに、透孔９３の位置と第１スリットＳ１の位置を、例えば距離Ｌ３だけ搬送方向にずらして、前記パドル８１Ｃ，８１Ｄの位置に関わらず透孔９３がパドル８１Ｃ，８１Ｄによって塞がれないように設定されている。
【００３１】
図９において、プリズム機構９を構成する第１プリズム９１は、前記透孔９３の真上に配設され、第２プリズム９２は前記第１プリズム９１と対向し且つ第１スリットＳ１と同一ライン上に配設されている。
そして、透孔９３を通過した光は写真フィルムＦの情報記録部Ｄを透過して第１プリズム９１に下方から入射し、９０°屈折されて第２プリズム９２に入射する。第２プリズム９２に入射した光は９０°屈折される。従って、第２プリズム９２から出射される光は、第１スリットＳ１を通過してコマ画像を透過した光と同一ラインで上方に出射する。
このようにして、情報記録部Ｄを透過した光も、コマ画像を透過した光も、同一ラインで、前記透過光読み取り部２３に入射されるのである。
【００３２】
従って、パノラマモードで撮影されたコマ画像をスキャンする場合には、図９に示したように、パドル８１Ｃ、８１Ｄが進出して不要な領域の光を遮蔽してパノラマ画像を読み取る。同時に、情報記録部Ｄには光源部２２からの光が充分照射されるので、前記透孔９３を通って情報記録部Ｄを透過した光は、前記プリズム機構９によってその光路が屈曲されて、第１スリットＳ１と同一ライン上にシフトされ、コマ画像を透過した光と共に透過光読み取り部２３に入射される。
この場合も、透過光読み取り部２３に入射される透過光に基づいて得られるデジタルデータは、制御部６において、コマ画像の領域に基づくデジタルデータと情報記録部Ｄの領域に基づくデジタルデータとに分離され、前者は写真画像データとして従来同様に処理され、後者は必要に応じて画像処理によって解析されＤＸコード等の必要なデータが得られる。なお、第１スリットＳ１の位置と透孔９３の位置のずれは既知の固定値であるので、データ処理においてその位置のずれ考慮して解析されることは当然である。
【００３３】
パノラマモード以外のモードで撮影されたコマ画像をスキャンする場合には、図９において一点鎖線で示したように、パドル８１Ｃ，８１Ｄが退避するので、コマ画像を透過した光は透過光読み取り部２３に入射される。
この場合も、前記透孔９３を通って情報記録部Ｄを透過した光は、前記プリズム機構９によってその光路が屈曲されて、第１スリットＳ１と同一ライン上にシフトされ、コマ画像を透過した光と共に透過光読み取り部２３に入射される。
【００３４】
このように、第１スリットＳ１とずらして設けられた透孔９３を介して情報記録部Ｄに記録されたデータを光学的に読み取るように構成したので、パノラマ画像を読み取るときに第１スリットＳ１の余分な領域を遮蔽するためのパドル８１Ｃ，８１Ｄが作動しても、情報記録部Ｄに記録されたデータを読み取ることができるのである。
なお、上記においては、導光手段としては、プリズムを用いて光路を屈曲させてシフトさせるように構成したが、ミラーや光ファイバー等を用いて光路を屈曲させてシフトさせてもよい。
また、透孔は、スリットの近傍に形成したので、透孔にも光源部からの光の一部が供給されるが、前記光源部とは別の光源を利用してもよい。
また、導光手段を、光源部と写真フィルムとの間に設ける場合には、パドルに切欠きを設けた例を示したが、プリズム機構や、ミラーや光ファイバー等の手段によって、光路がパドルを迂回するように構成することもできる。
【００３５】
なお、前記スキャナ部２は特許請求の範囲に記載された画像読取装置に対応する構成であり、前記透過光読み取り部２３は特許請求の範囲に記載されたセンサに対応する構成であり、前記透孔８は特許請求の範囲に記載された光透過部に対応する構成であり、前記切欠き部８４Ａ、８４Ｂは特許請求の範囲に記載された導光手段に対応する構成であり、前記パドル８１Ａ，８１Ｂ，８１Ｃ，８１Ｄは特許請求の範囲に記載された遮光手段に対応する構成であり、前記プリズム機構９は特許請求の範囲に記載された導光手段に対応する構成である。
また、図１０の（ａ）に示したように、情報読み取り用の光透過部８ａは、スリットＳａと分離して設けてもよいが、図１０の（ｂ）に示したように、情報読み取り用の光透過部８ｂは、スリットＳｂと連設して設けてもよい。これらの場合には、光透過部８ｂとしては、透孔でもよいが、ＮＤフィルタ等の減光部材等で構成してもよい。
さらに、図１０の（ａ）〜（ｂ）のように、情報読み取り用の光透過部を、スリットと同一ライン上に並べて配設してもよいが、図１０の（ｃ）〜（ｅ）のように、情報読み取り用の光透過部を、スリットに対して搬送方向にずらした位置に配設してもよい。
図１０の（ｃ）に示したように、情報読み取り用の光透過部８ｃは、スリットＳｃと分離して設けても、図１０の（ｄ）に示したように、情報読み取り用の光透過部８ｄは、スリットＳｄと連設してもよい。そして、スリットの幅は、図１０の（ｃ）に示したように、情報記録部まで含む幅としてもよいが、図１０の（ｅ）に示したスリットＳｅように、情報記録部は含まない幅とし，情報読み取り用の光透過部８ｅは、スリットＳｅとずらして設けてもよい。これらの場合には、光透過部としては、透孔でもよいが、ＮＤフィルタ等の減光部材等で構成してもよい。図１０の（ｃ）〜（ｅ）の場合には、導光手段は、光透過部を通って情報記録部を透過した光を、センサに入射されるようにシフトさせるプリズム機構によって構成する。
【００３６】
【発明の効果】
請求項１の発明によれば、
遮光手段の進退位置に関わらず、光源部からの光を、情報読み取り用の光透過部を透過させてセンサへ導く導光手段を備えたので、パノラマ画像をスキャンする場合に、不要な光によるフレア等の弊害を防止するための遮光手段を機能させても、情報記録部に記録されたＤＸコード等の情報を読み取ることができる。
従って、読み取ったＤＸコード等の情報は、必要に応じて画像処理に反映することができる。
請求項２の発明によれば、
情報読み取り用の光透過部は、スリットと分離して設けたので、写真フィルムの所定の部分、例えば、コマ画像領域と情報記録部にそれぞれに光を供給することができる。
【００３７】
請求項３の発明によれば、
情報読み取り用の光透過部は、スリットと連設して設けたので、光透過部とスリットを一体に形成することができる。
【００３８】
請求項４の発明によれば、
遮光手段に切欠き部を設けて、情報記録部に光を透過させるように構成したので、パノラマ画像をスキャンする場合に、不要な光によるフレア等の弊害を防止するための遮光手段を機能させても、情報記録部に記録されたＤＸコード等の情報を読み取ることができる。
【００３９】
請求項５の発明によれば、
情報読み取り用の光透過部は、遮光手段によって遮光されないようにスリットに対して搬送方向にずらした位置に配設し、情報読み取り用の光透過部を通って情報記録部を透過した光を、センサに入射されるようにシフトさせるプリズム機構を設けたので、パノラマ画像をスキャンする場合に、不要な光によるフレア等の弊害を防止するための遮光手段を機能させても、情報記録部に記録されたＤＸコード等の情報を読み取ることができる。
請求項６の発明では、
スリットの幅は、写真フィルムの側縁近傍に形成された情報記録部まで含む幅として、スリットに供給される光はコマ画像の領域だけでなく情報記録部も透過するように構成したので、写真フィルムの幅広い領域に光源部からの光を透過させることができる。
請求項７の発明では、
スリットの幅は、写真フィルムの側縁近傍に形成された情報記録部は含まない幅として、スリットに供給される光は情報記録部は透過しないように構成したので、余分な光が写真フィルムを透過しないようにできる。
請求項８の発明では、光透過部は透孔で構成したので構造がシンプルになる。
請求項９の発明では、光源部からの光は減光部材で減光するので、適正な光量でセンサに入力することができる。
【図面の簡単な説明】
【図１】本発明にかかる画像読取装置の実施の形態を備えた写真フィルム処理装置の構成図である。
【図２】前記画像読取装置の側面断面図である。
【図３】前記画像読取装置に用いられるフィルムキャリアの内部構造を示す側面断面図である。
【図４】前記フィルムキャリアの内部構造を示す平面図である。
【図５】前記フィルムキャリアの要部を拡大した平面図である。
【図６】図５に示された要部を、前記下側本体の下面から見た底面図である。
【図７】図５に示された要部を、前記下側本体の下面から見た底面図である。
【図８】プリズム機構を用いた実施形態の要部の平面図である。
【図９】図８の側面断面図である。
【図１０】スリットと光透過部の種々の形態を例示する説明図である。
【符号の説明】
Ｆ  写真フィルム
Ｄ  情報記録部
Ｗ１，Ｗ２  搬送路
Ｓ１、Ｓ２  スリット
１  画像読取装置
２２  光源部
２３  透過光読み取り部、センサ
７６  搬送手段
８  光透過部、透孔
８１Ａ、８１Ｂ、８１Ｃ、８１Ｄ  パドル、遮光手段
８４Ａ、８４Ｂ  導光手段、切欠き部
９  導光手段、プリズム機構
【図１】
2004266485.tif 000003
【図２】
2004266485.tif 000004
【図３】
2004266485.tif 000005
【図４】
2004266485.tif 000006
【図５】
2004266485.tif 000007
【図６】
2004266485.tif 000008
【図７】
2004266485.tif 000009
【図８】
2004266485.tif 000010
【図９】
2004266485.tif 000011
【図１０】
2004266485.tif 000012